(57)【要約】【課題】金本位制での金貨は重く運搬不便でその高騰によりインフレが加速する。管理通貨制度は戦争や産業構造破壊により金融システムが崩壊の可能性がある。生物商品は寿命、価格変動が激しく不安定である。仮想通貨はハッカー等の盗難事故が発生するし担保物件がなく損害保険等経費が嵩む。さらに通貨暗号が解析されて不正送金事件等が発生している。【解決手段】本発明の宇宙資源金融システムは、宇宙資源を金融資産として金融市場に導入することにより金融システムの担保、収益、信頼性を高める。宇宙資源を宇宙開発用として使用することで確実性の高い需要、経済性システムを構築する。さらに、量子力学多世界解釈手段により現状経済を拡張解釈し旺盛な宇宙資源の需要を創造することでインフレーション、ミンスキーモーメント等経済問題に機敏に対応して投資家の心理不安を払拭する金融システムを獲得する。【選択図】図１
2019212247.tif 000002
【特許請求の範囲】
【請求項１】
宇宙資源の探査データから資産価値を解析しこれを金融商品として金融市場に導入することにより金融システムを活性化することを特徴とする宇宙資源金融システム
【請求項２】
宇宙資源の探査データから資産価値をコンピユータで解析しこれを金融商品として金融市場に導入することにより金融システムを活性化することを特徴とする宇宙資源金融システム
【請求項３】
宇宙資源を人工衛星により探査してその探査データから前記宇宙資源の資産価値を解析しこれを金融商品として金融市場に導入することにより金融システムを活性化することを特徴とする宇宙資源金融システム
【請求項４】
宇宙資源を人工衛星により探査してその探査データから前記宇宙資源の資産価値をコンピユータで解析しこれを金融商品として金融市場に導入してとすることで金融システムを活性化することを特徴とする宇宙資源金融システム
【請求項５】
宇宙資源の探査データから資産価値を解析し前記宇宙資源を担保のある金融商品として金融市場に導入することにより金融システムを活性化することを特徴とする宇宙資源金融システム
【請求項６】
宇宙資源の探査データから資産価値をコンピユータで解析し前記宇宙資源を担保のある金融商品として金融市場に導入することにより金融システムを活性化することを特徴とする宇宙資源金融システム
【請求項７】
宇宙資源を人工衛星により探査してその探査データから前記宇宙資源の資産価値を解析しこれを担保のある金融商品として金融市場に導入することにより金融システムを活性化することを特徴とする宇宙資源金融システム
【請求項８】
宇宙資源を人工衛星により探査してその探査データから前記宇宙資源の資産価値をコンピユータで解析しこれを担保のある金融商品として金融市場に導入することで金融システムを活性化することを特徴とする宇宙資源金融システム
【請求項９】
宇宙資源の探査データから資産価値を量子力学多世界解釈の使用により解析し前記宇宙資源を金融商品として金融市場に導入することにより金融システムを活性化することを特徴とする宇宙資源金融システム
【請求項１０】
宇宙資源の探査データから資産価値をコンピユータで量子力学における多世界解釈の使用により解析し前記宇宙資源を金融商品として金融市場に導入することにより金融システムを活性化することを特徴とする宇宙資源金融システム
【請求項１１】
宇宙資源を人工衛星により探査してその探査データから前記宇宙資源の資産価値を量子力学における多世界解釈の使用により解析し前記宇宙資源を金融商品として金融市場に導入することにより金融システムを活性化することを特徴とする宇宙資源金融システム
【請求項１２】
宇宙資源を人工衛星により探査してその探査データから前記宇宙資源の資産価値をコンピユータで量子力学における多世界解釈の使用により解析し前記宇宙資源を金融商品として金融市場に導入してとすることで金融システムを活性化することを特徴とする宇宙資源金融システム
【請求項１３】
宇宙資源の探査データから資産価値を量子力学における多世界解釈の使用により解析し前記宇宙資源を担保のある金融商品として金融市場に導入することにより金融システムを活性化することを特徴とする宇宙資源金融システム
【請求項１４】
宇宙資源の探査データから資産価値をコンピユータで量子力学における多世界解釈の使用により解析し前記宇宙資源を担保のある金融商品として金融市場に導入することにより金融システムを活性化することを特徴とする宇宙資源金融システム
【請求項１５】
宇宙資源を人工衛星により探査してその探査データからその資産価値を量子力学における多世界解釈の使用により解析し前記宇宙資源を担保のある金融商品として金融市場に導入することにより金融システムを活性化することを特徴とする宇宙資源金融システム
【請求項１６】
宇宙資源を人工衛星により探査してその探査データからその資産価値をコンピユータで量子力学における多世界解釈の使用によりで解析し前記宇宙資源を担保のある金融商品として金融市場に導入することで金融システムを活性化することを特徴とする宇宙資源金融システム
【発明の詳細な説明】
【技術分野】
【０００１】
本発明は、宇宙資源を金融システムに導入し金融市場を活性化することを特徴とする宇宙資源金融システムに関するものである。
【背景技術】
【０００２】
今世紀の金融システムにおいて、人類は金本位制のように実用商品を交換価値に裏付けされた商品として貨幣経済を確立した。
そして、下記理由で国家の中央銀行が商品の代替えとして紙幣を発行、流通させていた。
「実際には、流通に足りる金貨が常備できない、高額になりがちな金貨は持ち運びが不便などの理由により、金貨を流通させられない場合が多い。
そこで、中央銀行が金地金との交換を保証された兌換紙幣（だかん）および、本位金貨に対する補助貨幣を流通させる事により、貨幣価値を金に裏付けさせる事が行われた。」
「金本位制には、国際収支を均衡させる効果があると考えられている。
複数の国が存在していて、それらの国が金本位制を採用している場合、流通している通貨が異なっても事実上「金」が世界共通の通貨であることになる。」という特徴もある。
金はその産出量が希少であるため
「各国の通貨も1973年までに変動為替相場制に移行する形で、先進国の通貨は金本位制が有名無実化する形で離脱することになった。」
【非特許文献１】金本位制Wikipediahttps://ja.wikipedia.org/wiki/%E9%87%91%E6%9C%AC%E4%BD%8D%E5%88%B6前記理由で、戦後先進各国は管理通貨制度を採用するようになった。管理通貨制度は「第二次世界大戦後から情報革命を背景に電子記録としての預金通貨を止め処なく増やしている。管理通貨制度の下では、自国通貨は原則的にいくらでも発行できる。金を貨幣価値の裏付けとする金本位制においては、銀行券発行量は正貨準備高に拘束されるのに対し、管理通貨制度では行政府の通貨政策次第であり、貨幣の価値は政府または中央銀行の政策によって裏付けされるためその価値は不安定となりやすい。よって通貨当局は金融政策により貨幣価値の安定化を図ることを重視する。」「管理通貨制度においても通貨は市中あるいは政府の信用の対等物として取り扱われるのが原則である。この原則に政策上の事情あるいは恣意性が加わるとインフレーションやデフレーションの原因となる。」という危険を包含している。
【非特許文献２】管理通貨制度Wikipediahttps://ja.wikipedia.org/wiki/%E7%AE%A1%E7%90%86%E9%80%9A%E8%B2%A8%E5%88%B6%E5%BA%A6通貨は投機商品として通貨をチュリップ（オランダ）やウサギ（東京府）のような生物商品として取引したりしていた時代もあった。
【非特許文献３】チューリップバブルWikipediahttps://ja.wikipedia.org/wiki/%E3%83%81%E3%83%A5%E3%83%BC%E3%83%AA%E3%83%83%E3%83%97%E3%83%BB%E3%83%90%E3%83%96%E3%83%AB
【非特許文献４】ウサギバブルWikipediahttps://ja.wikipedia.org/wiki/%E3%82%A6%E3%82%B5%E3%82%AE%E3%83%90%E3%83%96%E3%83%ABここにおいて、近年通貨は下記のように仮想通貨のビットコインに代表されるブロックチェーン等を使用する暗号理論を用いて電子的に発行される通貨（＝暗号通貨）つまりデジタル情報自体が貨幣として使用され始めている。「大部分の暗号通貨はその発行量が徐々に減少するよう設計されていて、貴金属のように将来的に流通する通貨の総量には上限が設けられている。これらは、金融機関が保有したり現金としてやりとりされる普通の通貨と比べると、暗号通貨は法執行機関に押収されにくい。現存する暗号通貨はすべて擬似匿名であるが、Zerocoin とその分散ローンダリング機能などが示唆するように、純粋な匿名性も実現されうる」
【非特許文献５】仮想通貨Wikipediahttps://ja.wikipedia.org/wiki/%E4%BB%AE%E6%83%B3%E9%80%9A%E8%B2%A8
【非特許文献６】暗号通貨Wikipediahttps://ja.wikipedia.org/wiki/%E6%9A%97%E5%8F%B7%E9%80%9A%E8%B2%A8
【先行技術文献】
【特許文献】
【０００３】
宇宙資源探査による経済振興システム
特願2017−105135
【非特許文献】
【０００４】
【非特許文献１】金本位制Wikipediahttps://ja.wikipedia.org/wiki/%E9%87%91%E6%9C%AC%E4%BD%8D%E5%88%B6
【非特許文献２】管理通貨制度Wikipediahttps://ja.wikipedia.org/wiki/%E7%AE%A1%E7%90%86%E9%80%9A%E8%B2%A8%E5%88%B6%E5%BA%A6
【非特許文献３】チューリップバブルWikipediahttps://ja.wikipedia.org/wiki/%E3%83%81%E3%83%A5%E3%83%BC%E3%83%AA%E3%83%83%E3%83%97%E3%83%BB%E3%83%90%E3%83%96%E3%83%AB
【非特許文献４】ウサギバブルWikipediahttps://ja.wikipedia.org/wiki/%E3%82%A6%E3%82%B5%E3%82%AE%E3%83%90%E3%83%96%E3%83%AB
【非特許文献５】仮想通貨Wikipediahttps://ja.wikipedia.org/wiki/%E4%BB%AE%E6%83%B3%E9%80%9A%E8%B2%A8
【非特許文献６】暗号通貨Wikipediahttps://ja.wikipedia.org/wiki/%E6%9A%97%E5%8F%B7%E9%80%9A%E8%B2%A8
【非特許文献７】サブプライム住宅ローン危機Wikipediahttps://ja.wikipedia.org/wiki/%E3%82%B5%E3%83%96%E3%83%97%E3%83%A9%E3%82%A4%E3%83%A0%E4%BD%8F%E5%AE%85%E3%83%AD%E3%83%BC%E3%83%B3%E5%8D%B1%E6%A9%9F
【非特許文献８】ミンスキーモーメントiFinancehttps://www.ifinance.ne.jp/glossary/global/glo269.html
【非特許文献９】エヴェレットの多世界解釈Wikipediahttps://ja.wikipedia.org/wiki/%E3%82%A8%E3%83%B4%E3%82%A7%E3%83%AC%E3%83%83%E3%83%88%E3%81%AE%E5%A4%9A%E4%B8%96%E7%95%8C%E8%A7%A3%E9%87%88
【発明の概要】
【発明が解決しようとする課題】
【０００５】
金本位制において金貨は重く持運びが不便である。
近年、日本周辺海底熱水金鉱床、パプアニューギニア金鉱山のような大規模鉱床、鉱山も確認されているが金は産出量が少なく採掘が困難である。
さらに金貨の採掘、製造に伴う環境汚染も発生する。金等貴金属は地球埋蔵量に限りがある。このため、これらを通貨として使用すればいずれインフレが加速するという問題がある。管理通貨制度は前記弊害を払拭するものである。そして、通貨価値は各国中央銀行の信用に由来する。また、前記制度は気象異変、自然災害、戦争等で流通バランスが乱れると金融システムが容易に崩壊する。投機商品としてのチュリップ（オランダ）、ウサギ（東京府）等の生物商品は商品寿命があるとともに価格変動が激しく通貨としての使用に難点があった。
また、金融システムの失敗例としてリーマンショック、サブプライム住宅ローン危機があった。これは投資銀行、住宅購入用途向けサブプライムローン等商品の破綻が原因であった。前記システムの破綻は「ミンスキーモーメント」の発生により長く隠れていたリスク（問題）が突然顕在化し、慌てふためいた投資家による資産の投げ売りによるマーケット暴落の結果であった。
【非特許文献７】サブプライム住宅ローン危機Wikipediahttps://ja.wikipedia.org/wiki/%E3%82%B5%E3%83%96%E3%83%97%E3%83%A9%E3%82%A4%E3%83%A0%E4%BD%8F%E5%AE%85%E3%83%AD%E3%83%BC%E3%83%B3%E5%8D%B1%E6%A9%9F
【非特許文献８】ミンスキーモーメントiFinancehttps://www.ifinance.ne.jp/glossary/global/glo269.html仮想通貨は、中央銀行を回避して中央集権的な管理権威を持たずに暗号通貨を使用できる特色がある。しかし、これらは保管管理が杜撰であるとフィシング、ウイルス、ウォレットの信頼性、ハッキング等の事件が発生する。しかも、近年ハッカーによる盗難事故が多発している。仮想通貨は担保物件が存在しない。このため通貨消失による補償対象としてこれに損害保険等を掛ける必要もあり金融コストが著しく上昇する問題がある。また、仮想通貨は通貨取引を少額にすると通貨の普及発展性が見込めないし多量損失をすると経済混乱を生じる恐れがある。仮想通貨を構成するためブロックチェーン等に代表されるセキュリティ技術において、現状解読さられないセキュリティはない。これらは近年のスーパーコンピユータ、量子コンピユータの発達で暗号理論は容易に解析される恐れがある。仮想通貨を認証する通貨暗号は短時間で容易に解読されてしまうので他国等への不正送金等操作等の事件も数多く発生している。
【課題を解決するための手段】
【０００６】
本発明は、宇宙資源金融システムに関し従来の金融システムに宇宙経済システム手段を導入する。宇宙資源の探査データを解析して金融データとして使用することにより投資家の投資心理を制御して金融市場活動を活性化し担保、収益、信頼の高い金融システムを構築する。さらに、量子力学的多世界解釈を使用することで将来性の高い理想的な宇宙資源の需要を創造し金融市場を活性化する。
【発明の効果】
【０００７】
本発明の宇宙資源金融システムによれば、金融市場に宇宙資源を債権者等の各種担保として導入することにより金融システムの収益、安全、信頼が向上する。宇宙資源という資源を経済システムに導入することで無尽蔵な需要が創造でき人類発展進歩に貢献できる。
宇宙資源開発は地球外活動であるため地球環境汚染による環境破壊等が解消できる。
量子力学的多世界解釈の使用により創造性の高い理想的な金融システムが形成され投資家の投資不安を払拭できる利点がある。
【図面の簡単な説明】
【０００８】
【図１】本発明のシステムの構成図
【図２】本発明のフローチャート
【図３】本発明のフローチャート
【発明を実施するための形態】
【０００９】
発明の宇宙資源金融システムは為替、株、先物市場等に使用する。
従来金融システムに宇宙経済システム手段を活用し宇宙資源を担保とすることにより投資家心理を制御して市場活動を活性化し収益、信頼の高い金融システムを構築する。
その詳細は、前記宇宙資源探査システム手段は宇宙資源を探査する。
前記宇宙資源は小惑星、彗星、惑星を対象としてもよい。
前記宇宙資源探査システム手段において人工衛星は宇宙資源を探査しその探査データを通信手段により地球に伝達する。前記宇宙資源金融システムはインターネット等通信ネットワークに接続して探査データを伝達する。前記探査データはデータ蓄積解析手段に伝達して小惑星、宇宙資源に関する物理化学的データ解析を実行してそのデータを蓄積すると共に従来金融システム運営に使用する。前記データ蓄積解析手段、その他手段にはAI等コンピユータを使用してデータ解析をすればよい。
前記従来金融システムは従来の金融市場で使用されている金融システムであり為替、株、先物市場である一般金融市場と証券場、証券会社等からなる一般取引手段、ヘッジファンドによる超高速取引やアルゴリズム取引等の電子取引手段とから構成され金融データを伝達、決済する。
前記宇宙経済システム手段は前記各手段の他に市場価値管理監視手段、需要開発手段、量子力学的多世界解釈手段、データ制御コンピユータ、宇宙資源金融プログラムとから構成する。前記データ蓄積解析手段、その他手段にはAI等コンピユータを使用してデータ解析をすればよい。
前記解釈データの使用により現状金融システムの停滞、手詰まりを解消することで投資家心理を制御して金融インフレーション、ミンスキーモーメント等悪影響を抑制する。
次に、本発明のシステムの作動について説明する。
通常、本発明の宇宙資源金融システムでは従来金融システムが機能している。前記従来金融システムは前記市場価値管理監視手段によりその金融状態を常時管理監視する。
投資家が金融操作により金融商品の価値増減したい場合、前記宇宙経済システム手段のデータ制御コンピユータを作動する。
前記データ制御コンピユータは宇宙経済システム手段、各手段を宇宙資源金融プログラムに基き金融状態の解析をして金融市場を制御する。
需要開発手段は従来金融システムを監視して従来金融システムでは前記金融商品価値増減の可能性がないと判断すると宇宙資源の使用または多世界解釈による２つの方法により対処する。
その詳細は
始めに宇宙資源の使用に関して説明する。
前記データ蓄積解析手段を作動する。
本発明では予め前記宇宙経済システム手段が作動しており前記宇宙資源探査システム手段から前記探査データを逐次データ蓄積解析手段に蓄積している。
探査データを前記データ蓄積解析手段から取得する。そして前記探査データを需要開発手段に伝達し小惑星、宇宙資源の需要を開発し開発情報を投資家に提供する。
投資家は前記開発情報に基き自分のコンピユータからオンライン等で前記データ制御コンピユータを作動して金融市場を操作し前記金融商品の価値を増減する。
結果が満足であれば終了する。
第2の方法として通常の宇宙資源の使用では金融商品の価値増減効果がない場合前記多世界解釈手段を作動してデータ処理をする。前記多世界解釈手段からの解釈データに基き探査データを需要開発手段により小惑星、宇宙資源の開発情報を再解析し本開発情報に基き金融市場を操作して前記金融商品を価値増減する。結果が満足できれば操作終了する。必要であれば前記手順を繰り返す。
【実施例１】
【００１０】
本発明の宇宙資源金融システムを一実施例により説明する。
図１は、本発明の宇宙資源金融システム構成を示している。
本実施例において金融とは為替、株、先物市場等を対象とする。
本システムでは、従来金融システムJSに宇宙経済システム手段USを活用する。そして金融システムJSに宇宙資源を担保として使用可能にすることで市場活動を活性化し収益、信頼性の高い金融システムを構築する。
詳細を説明する。
宇宙経済システム手段USを構成する宇宙資源探査システム手段DS−DSnは宇宙空間に存在する小惑星11−11ｎに存在する宇宙資源12−12ｎを探査する。
本実施例では、小惑星を例にしたが小惑星11−11ｎの代わりに彗星、惑星を対象としてもよい。
宇宙資源探査システム手段DS−DSnは例えば複数の人工衛星10により宇宙資源12−12ｎを探査する。そして探査データTDを地球13の通信手段14に伝達する。
本発明の宇宙資源金融システムは通信手段14をインターネット等通信ネットワークに接続して各種データを伝達する。
ここで説明する探査データTDとは小惑星11−11ｎ及び宇宙資源12−12ｎの軌道、公転周期等物理的特性や化学的特性等の情報である。
前記宇宙資源探査システム手段DS−DSnには特願2017−105135を参考すればよい。
詳細を説明すると
探査データTDは前記通信ネットワークに接続したデータ蓄積解析手段20に伝達する。
データ蓄積解析手段20は蓄積された探査データTDを読出しこれに包含された小惑星11−11ｎ、宇宙資源12−12ｎに関する物理化学的データを解析して金融データを作成し従来金融システムJSに導入して使用する。
データ蓄積解析手段20におけるデータの蓄積手段、データ解析手段はそれぞれ別々に手段を設けデータ処理を実行してもよい。
データ蓄積解析手段20にはAI等コンピユータを使用してデータ解析をすればよい。
従来金融システムJSは従来からの先物、株取引等金融市場で使用されている金融システムである。
ここでは為替、株、先物市場等で構成する一般金融市場１と証券場、証券会社等が取引する一般取引手段２、ヘッジファンドによる超高速取引やアルゴリズム取引等の電子取引手段３とから構成する。
ここで説明したアルゴリズム取引等電子取引手段３には超短期成果追求型等を使用すればよい。
宇宙経済システム手段USは前記各手段の他に市場価値管理監視手段21、需要開発手段22、量子力学的多世界解釈手段23、データ制御コンピユータ24、宇宙資源金融プログラム25とから構成する。
前記各手段20,21,22,23,24,25の詳細について説明する。
データ蓄積解析手段20
探査データTDから小惑星11−11ｎ、宇宙資源12−12ｎに対する金融資産、価値等を解析し宇宙資源に関する前記物理化学的データから金融データを作成してこれを蓄積する。
市場価値管理監視手段21
一般金融市場１での株価、通貨レート等市場情報を監視する。必要に応じて市場の資産価値、金融データ、警告データ等を投資家26のコンピユータ等に伝達する。
需要開発手段22
一般金融市場１での商品取引状況と探査データTD、金融データ、多世界解釈手段23からの解釈データを基に株価、通貨レート等の解析をして資源11−11ｎ等の使用用途、その開発方法を投資家26に伝達する。
多世界解釈手段23
量子力学に基く世界観であるコペンハーゲン解釈、ヒュー・エヴェレット等の多世界解釈を応用して現状世界を超越する経済観念を解析する。投資家に金融市場に資金を投資する理由定義するための解釈データを提供する。多世界解釈は世の中に起こりうる可能性を拾い上げこれを全部実存するSF的理論解釈と言われている。ここでは一般金融市場１、小惑星11−11ｎ、資源11−11ｎの使用用途、資産価値、金融データを多世界解釈で解析する。そして新たな経済観に基き金融市場での株価、通貨レート等を解析しこれに投資するための解釈データを作成する。前記解釈データを使用して創造された新たな金融システムを投資家26に提供する。
【非特許文献９】エヴェレットの多世界解釈Wikipediahttps://ja.wikipedia.org/wiki/%E3%82%A8%E3%83%B4%E3%82%A7%E3%83%AC%E3%83%83%E3%83%88%E3%81%AE%E5%A4%9A%E4%B8%96%E7%95%8C%E8%A7%A3%E9%87%88前記解釈データの使用により小惑星、資源の用途、価値等が新たな金融システム戦略として効率よく市場経済に反映できる。そこで従来の経済理論に定義されている金融予想、予測等が飛躍的に改善される。これにより現状金融システムにおける金融停滞、手詰まりが円滑に解消され金融インフレーション、暴落等金融不安が予防できる。投資家に対して心理ゲーム体質を払拭する金融情報を提供できる。投資家は資金を金融市場の事情に即応して迅速に判断提供できる。そこでミンスキーモーメント等の不測事態発生の抑制が可能となる。多世界解釈手段23はコンピユータに不確定性理論をアルゴリズム、Shorの量子アルゴリズムを投入し宇宙資源の用途、金融データの開発を実行すればよい。 データ制御コンピユータ24コンピユータを使用したAI等で構成する。宇宙資源金融プログラム25により探査データTD、解釈データを分析し分析データを作成する。分析データに基き一般取引手段２、電子取引手段３を制御することにより一般金融市場１での株価、通貨価値等を投資家26の所望値に誘導してする。前記手段20,21,22,23, データ制御コンピユータ24にはAI等コンピユータを使用してデータ解析、情報処理をすればよい。また、前記手段20,21,22,23、データ制御コンピユータ24はクラウドCR上に設けて一般金融市場１の運営をするようにしてもよい。次に、本発明のシステムについて図２,３のフローチャートにより説明する。ここにおいて前記金融商品は為替、株式、先物市場等の金融システムを例に説明する。通常、宇宙資源金融システムでは従来金融システムJSが機能している。従来金融システムJSは市場価値管理監視手段21によりその金融市場価値を分析管理監視している。（ステップ１,２,３）ここにおいて、投資家26が金融操作により前記金融商品の金融市場価値の増減を所望した場合（ステップ４）、宇宙経済システム手段USのデータ制御コンピユータ24を作動する。データ制御コンピユータ24は宇宙資源金融プログラム25により宇宙経済システム手段USの各手段を制御する。データ制御コンピユータ24は必要に応じて常時作動しておけばよい。以下、データ制御コンピユータ24は逐次各手段を作動する。次に、需要開発手段22が作動され一般金融市場１の金融状態が解析される。（ステップ５,６）需要開発手段22は従来金融システムJSを常時監視している。データ制御コンピユータ24は従来金融システムJSでは前記金融商品価値増減の見込み、能性がないと判断したとき宇宙資源の使用およびまたは多世界解釈による２通の選択により対処する。ここにおいて需要開発手段22は必要に応じて常時作動しておいてもよい。 まず、宇宙資源の使用に関して説明する。始めに、データ蓄積解析手段20を作動する。（ステップ７）本発明では予め宇宙経済システム手段USが作動しており宇宙資源探査システム手段DS−DSnは随時データ蓄積解析手段20に探査データTDを蓄積している。（ステップ８,９,10）データ制御コンピユータ24はデータ蓄積解析手段20から探査データTDを読出す。探査データTDを需要開発手段22に伝達して小惑星11−11ｎ、宇宙資源12−12ｎの需要を開発、創造しその開発情報（ステップ11,12）を投資家26に提供する。 投資家26は前記開発情報に基き例えば自分の投資用のコンピユータからオンライン等でデータ制御コンピユータ24を使用して金融市場の例えば株式チャート等から金融市場の操作をして前記金融商品の価値増減をシュミレーション操作する。（ステップ13）データ制御コンピユータ24はその結果を従来金融システムJSに導入して市場に影響を与える。結果がOKであれば終了する。（ステップ２,３,４）  この発明では金融市場に宇宙資源を担保として導入することで金融システムの収益、安全、信頼性が向上する。ここにおいて通常の宇宙資源12−12ｎの使用では金融商品の価値増減効果がない場合多世界解釈手段23を作動して処理する。（ステップ14,11,12,13,4）多世界解釈手段23は解釈データに基き探査データTDを再度読出し需要開発手段22により小惑星11−11ｎ、宇宙資源12−12ｎの開発情報を解析する。開発情報に基き前記金融市場を操作して前記金融商品の価値増減をする。結果が満足できれば操作終了する。必要であればこれを繰り返す。
【産業上の利用可能性】
【００１１】
本発明の宇宙資源金融システムによれば金融市場に宇宙資源を導入することで金融システムの担保、収益、信頼性が一層高まり安定した金融市場が構築できる。
さらに、量子力学的多世界解釈手段を使用することで金融市場に対し幅広い需要を提供し金融活動を活性化する効果がある。
【符号の説明】
【００１２】
１          一般金融市場
２          一般取引手段
３          電子取引手段
10          人工衛星
11−11ｎ    小惑星
12−12ｎ    宇宙資源
13          地球
14          通信手段
20          データ蓄積解析手段
21          市場価値管理監視手段
22          需要開拓手段
23          多世界解釈手段
24          データ制御コンピユータ
25          宇宙資源金融プログラム
26          投資家
CR          クラウド
DS−DSｎ    宇宙資源探査システム手段
JS          従来金融システム
TD          探査データ
US          宇宙経済システム手段
【図１】
2019212247.tif 000003
【図２】
2019212247.tif 000004
【図３】
2019212247.tif 000005